(57)【特許請求の範囲】
【請求項１】
供給されたオーディオ信号を分析して少なくとも２つのパラメータを求める信号分析手段と、
求められた２つのパラメータを２次元平面上に展開し表示するパラメータ表示手段と、
上記２次元平面上におけるユーザ操作を検出する操作検出手段と、
検出されたユーザ操作点に対応して上記２次元平面上に所定形状の領域を設定し表示する領域設定手段と、
上記領域が設定されたことに応じて、上記領域に該当するパラメータ範囲に対して所定の処理特性に設定された信号処理を施す信号処理手段と、
上記領域の外縁の回動操作が検出されたことに応じて、上記信号処理の処理特性を制御する処理特性制御手段と
を具備することを特徴とする電子音楽装置。
【請求項２】
供給されたオーディオ信号を分析して少なくとも２つのパラメータを求める信号分析手段と、
求められた２つのパラメータを２次元平面上に展開し表示するパラメータ表示手段と、
上記２次元平面上におけるユーザ操作を検出する操作検出手段と、
検出されたユーザ操作点に対応して上記２次元平面上に所定形状の領域を設定し表示する領域設定手段と、
上記領域が設定されたことに応じて、上記領域に該当するパラメータ範囲に対して所定の処理特性に設定された信号処理を施す信号処理手段と、
上記領域内における１乃至複数点の移動操作が検出されたことに応じて、上記信号処理の処理特性を制御する処理特性制御手段と
を具備することを特徴とする電子音楽装置。
【請求項３】
供給されたオーディオ信号を分析して少なくとも２つのパラメータを求める信号分析ステップと、
求められた２つのパラメータを２次元平面上に展開し表示するパラメータ表示ステップと、
上記２次元平面上におけるユーザ操作を検出する操作検出ステップと、
検出されたユーザ操作点に対応して上記２次元平面上に所定形状の領域を設定し表示する領域設定ステップと、
上記領域が設定されたことに応じて、上記領域に該当するパラメータ範囲に対して所定の処理特性に設定された信号処理を施す信号処理ステップと、
上記領域の外縁の回動操作が検出されたことに応じて、上記信号処理の処理特性を制御する処理特性制御ステップと
から成る手順をコンピュータに実行させる信号処理特性制御プログラム。
【請求項４】
供給されたオーディオ信号を分析して少なくとも２つのパラメータを求める信号分析ステップと、
求められた２つのパラメータを２次元平面上に展開し表示するパラメータ表示ステップと、
上記２次元平面上におけるユーザ操作を検出する操作検出ステップと、
検出されたユーザ操作点に対応して上記２次元平面上に所定形状の領域を設定し表示する領域設定ステップと、
上記領域が設定されたことに応じて、上記領域に該当するパラメータ範囲に対して所定の処理特性に設定された信号処理を施す信号処理ステップと、
上記領域内における１乃至複数点の移動操作が検出されたことに応じて、上記信号処理の処理特性を制御する処理特性制御ステップと
から成る手順をコンピュータに実行させる信号処理特性制御プログラム。
【発明の詳細な説明】
【技術分野】
【０００１】
この発明は、オーディオ信号のパラメータを２次元平面に展開し、２次元平面に対するユーザ操作に従って、オーディオ信号に所定の信号処理を施すと共に信号処理の特性を制御する信号処理特性制御システムに関する。
【背景技術】
【０００２】
従来より、ミュージックシンセサイザなどの電子音楽装置では、オーディオ楽音信号の特性を制御するための信号処理が施されている。例えば、非特許文献１には、ヤマハ株式会社のミュージックシンセサイザ「ＭＯＴＩＦ  ＸＦ」について、このような信号処理として、例えば、所定の周波数成分のみを通過させるバンドパスフィルタ（ＢＰＦ）、逆に所定の周波数領域のみを減衰させるバンドエリミネートフィルタ（ＢＥＦ）等が示されており、これらの信号処理の特性は、一般には、数値によりパラメータを指定することで制御している。
【０００３】
また、オーディオ装置などの電子音楽装置において、供給されたステレオのオーディオ信号における周波数帯域ごとの定位位置（この明細書では「パンポット」という。）を分析し、これを２次元平面上に表示する技術も知られており、例えば、特許文献１の特性表示装置では、入力されたステレオ信号から周波数帯域（バンド）ごとの定位位置及びパワーレベルを算出し、定位位置−周波数の２次元平面の表示部において、算出した周波数帯域ごとの定位位置に、算出したパワーレベルに対応する大きさの図形が表示される。
【０００４】
しかしながら、特許文献１に示されるような２次元のパラメータ表示面上で、非特許文献１のミュージックシンセサイザに見られるようなバンドパスフィルタやバンドエリミネートフィルタ等の信号処理特性の設定（レゾナンス設定など）を簡単かつ直感的に行うことができるようになると好ましいが、このような提案はこれまでなされていない。
【先行技術文献】
【特許文献】
【０００５】
【特許文献１】特許３９１２３８６号公報
【非特許文献】
【０００６】
【非特許文献１】「ＭＯＴＩＦ  ＸＦ  リファレンスマニュアル」、ヤマハ株式会社、２０１０年、第７４〜７６頁（http://www２.yamaha.co.jp/manual/pdf/emi/japan/synth/motifxf_ja_rm_a0.pdf）
【発明の概要】
【発明が解決しようとする課題】
【０００７】
この発明は、このような事情に鑑み、オーディオ信号のパラメータが展開された２次元の表示面に対するユーザ操作に従って、簡単かつ直感的に、オーディオ信号に対して所定の信号処理特性を設定し、設定された信号処理特性を変更する制御を行うことができる信号処理特性制御システムを提供することを目的とする。
【課題を解決するための手段】
【０００８】
この発明の一つの特徴に従うと、供給されたオーディオ信号（ｓＬ，ｓＲ）を分析して少なくとも２つのパラメータを求める信号分析手段（ＢＬ，ＢＲ；Ｆａ）と、求められた２つのパラメータを２次元平面〔Ｐｎ（図３）〕上に展開し表示するパラメータ表示手段（Ｇａ；１２）と、２次元平面（Ｐｎ）上におけるユーザ操作を検出する操作検出手段（Ｇａ；Ｓ１；６）と、検出されたユーザ操作点（ｐａ，ｐｂ）に対応して２次元平面（Ｐｎ）上に所定形状の領域（Ａｒ）を設定し表示する領域設定手段（Ｇａ；Ｓ２＝ＹＥＳ→Ｓ３）と、上記領域（Ａｒ）が設定されたことに応じて、上記領域（Ａｒ）に該当するパラメータ範囲に対して所定の処理特性に設定された信号処理を施す信号処理手段（Ｇａ，ＣＬ，ＣＲ；Ｓ３）と、上記領域（Ａｒ）の外縁（Ｅｄ）の回動操作（Ａｃ１）が検出されたことに応じて、信号処理の処理特性を制御する処理特性制御手段（Ｇａ，ＣＬ，ＣＲ；Ｓ４＝ＹＥＳ→Ｓ５）とを具備する電子音楽装置（コンピュータ）〔請求項１〕、並びに、供給されたオーディオ信号（ｓＬ，ｓＲ）を分析して少なくとも２つのパラメータを求める信号分析ステップ（ＢＬ，ＢＲ；Ｆａ）と、求められた２つのパラメータを２次元平面〔Ｐｎ（図３）〕上に展開し表示するパラメータ表示ステップ（Ｇａ）と、２次元平面（Ｐｎ）上におけるユーザ操作を検出する操作検出ステップ（Ｇａ；Ｓ１）と、検出されたユーザ操作点（ｐａ，ｐｂ）に対応して２次元平面（Ｐｎ）上に所定形状の領域（Ａｒ）を設定し表示する領域設定ステップ（Ｇａ；Ｓ２＝ＹＥＳ→Ｓ３）と、上記領域（Ａｒ）が設定されたことに応じて、上記領域（Ａｒ）に該当するパラメータ範囲に対して所定の処理特性に設定された信号処理を施す信号処理ステップ（Ｇａ，ＣＬ，ＣＲ；Ｓ３）と、上記領域（Ａｒ）の外縁（Ｅｄ）の回動操作（Ａｃ１）が検出されたことに応じて、信号処理の処理特性を制御する処理特性制御ステップ（Ｇａ，ＣＬ，ＣＲ；Ｓ４＝ＹＥＳ→Ｓ５）とから成る手順をコンピュータ（電子音楽装置）に実行させる信号処理特性制御プログラム〔請求項３〕が提供される。なお、括弧書きは、理解の便のために付記した実施例の参照記号や用語、箇所等を表わし、以下においても同様である。
【０００９】
この発明の別の特徴に従うと、供給されたオーディオ信号（ｓＬ，ｓＲ）を分析して少なくとも２つのパラメータを求める信号分析手段（ＢＬ，ＢＲ；Ｆａ）と、求められた２つのパラメータを２次元平面〔Ｐｎ（図３）〕上に展開し表示するパラメータ表示手段（Ｇａ；１２）と、２次元平面（Ｐｎ）上におけるユーザ操作を検出する操作検出手段（Ｇａ；Ｓ１；６）と、検出されたユーザ操作点（ｐａ，ｐｂ）に対応して２次元平面（Ｐｎ）上に所定形状の領域（Ａｒ）を設定し表示する領域設定手段（Ｇａ；Ｓ２＝ＹＥＳ→Ｓ３）と、上記領域（Ａｒ）が設定されたことに応じて、上記領域（Ａｒ）に該当するパラメータ範囲に対して所定の処理特性に設定された信号処理を施す信号処理手段（Ｇａ，ＣＬ，ＣＲ；Ｓ３）と、上記領域（Ａｒ）内における１乃至複数点（ｐｃ，ｐｄ，…）の移動操作（Ａｃ２，Ａｃ３，…）が検出されたことに応じて、信号処理の処理特性を制御する処理特性制御手段（Ｇａ，ＣＬ，ＣＲ；Ｓ６＝ＹＥＳ→Ｓ７）とを具備する電子音楽装置（コンピュータ）〔請求項２〕、並びに、供給されたオーディオ信号（ｓＬ，ｓＲ）を分析して少なくとも２つのパラメータを求める信号分析ステップ（ＢＬ，ＢＲ；Ｆａ）と、求められた２つのパラメータを２次元平面〔Ｐｎ（図３）〕上に展開し表示するパラメータ表示ステップ（Ｇａ）と、２次元平面（Ｐｎ）上におけるユーザ操作を検出する操作検出ステップ（Ｇａ；Ｓ１）と、検出されたユーザ操作点（ｐａ，ｐｂ）に対応して２次元平面（Ｐｎ）上に所定形状の領域（Ａｒ）を設定し表示する領域設定ステップ（Ｇａ；Ｓ２＝ＹＥＳ→Ｓ３）と、上記領域（Ａｒ）が設定されたことに応じて、設定された領域（Ａｒ）に該当するパラメータ範囲に対して所定の処理特性に設定された信号処理を施す信号処理ステップ（Ｇａ，ＣＬ，ＣＲ；Ｓ３）と、上記領域（Ａｒ）内における１乃至複数点（ｐｃ，ｐｄ，…）の移動操作（Ａｃ２，Ａｃ３，…）が検出されたことに応じて、信号処理の処理特性を制御する処理特性制御ステップ（Ｇａ，ＣＬ，ＣＲ；Ｓ６＝ＹＥＳ→Ｓ７）とから成る手順をコンピュータ（電子音楽装置）に実行させる信号処理特性制御プログラム〔請求項４〕が提供される。
【発明の効果】
【００１０】
この発明の一つの特徴による信号処理特性制御システムでは〔請求項１，３〕、供給されたオーディオ信号（ｓＬ，ｓＲ）を分析することにより少なくとも２つのパラメータが求められ（ＢＬ，ＢＲ；Ｆａ）、求められた２つのパラメータは、タッチパネル（１２）の２次元平面〔Ｐｎ（図３）〕上に展開されて表示される（Ｇａ）。ここで、２次元平面（Ｐｎ）上においてユーザが操作を行うと、ユーザ操作が検出され（Ｇａ；Ｓ１；６）、検出されたユーザ操作点（ｐａ，ｐｂ）に対応して２次元平面（Ｐｎ）上に所定形状の領域（Ａｒ）が設定・表示され（Ｇａ；Ｓ２＝ＹＥＳ→Ｓ３）、設定された領域（Ａｒ）に該当するパラメータ範囲（例えば、フィルタ範囲）に対して所定の信号処理（例えば、フィルタ処理）が施される（Ｇａ，ＣＬ，ＣＲ；Ｓ３）。さらに、ユーザが、この領域（Ａｒ）の外縁（Ｅｄ）を回動させる操作（Ａｃ１）を行うと、この回動操作（Ａｃ１）が検出され、これに応じて信号処理の特性（例えば、レゾナンスの大きさ）が制御される（Ｇａ，ＣＬ，ＣＲ；Ｓ４＝ＹＥＳ→Ｓ５）。
【００１１】
この発明では、このように、オーディオ信号（ｓＬ，ｓＲ）を分析して少なくとも２つのパラメータを求め（ＢＬ，ＢＲ；Ｆａ）、求めたパラメータを２次元平面〔Ｐｎ（図３）〕に展開してタッチパネル（１２）に表示し、ユーザ操作点（ｐａ，ｐｂ）に対応して２次元平面上（Ｐｎ）に所定形状のパラメータ領域（Ａｒ）を設定・表示し（Ｇａ；Ｓ２＝ＹＥＳ→Ｓ３）、設定した領域（Ａｒ）に該当するパラメータ範囲に対して所定の信号処理を施し（Ｇａ，ＣＬ，ＣＲ；Ｓ３）、更にユーザにより設定領域（Ａｒ）の外縁（Ｅｄ）が回動されると（Ａｃ１）、信号処理の特性を変更する（Ｇａ，ＣＬ，ＣＲ；Ｓ４＝ＹＥＳ→Ｓ５）ように構成される。従って、この発明によれば、最初のユーザ操作でパラメータ領域を設定し、設定したパラメータ領域の外縁を更に回動するという簡単かつ直感的な操作によって、２次元平面にパラメータが展開されたオーディオ信号に対し、所定の信号処理特性を設定すると共に、設定した信号処理特性を変更することができる。
【００１２】
この発明の別の特徴に従う信号処理特性制御システムでは〔請求項２，４〕、供給されたオーディオ信号（ｓＬ，ｓＲ）を分析することにより少なくとも２つのパラメータが求められ（ＢＬ，ＢＲ；Ｆａ）、求められた２つのパラメータは、タッチパネル（１２）の２次元平面〔Ｐｎ（図３）〕上に展開されて表示される（Ｇａ）。ここで、２次元平面（Ｐｎ）上においてユーザが操作を行うと、ユーザ操作が検出され（Ｇａ；Ｓ１；６）、検出されたユーザ操作点（ｐａ，ｐｂ）に対応して２次元平面（Ｐｎ）上に所定形状の領域（Ａｒ）が設定・表示され（Ｇａ；Ｓ２＝ＹＥＳ→Ｓ３）、設定された領域（Ａｒ）に該当するパラメータ範囲（例えば、フィルタ範囲）に対して所定の信号処理（例えば、フィルタ処理）が施される（Ｇａ，ＣＬ，ＣＲ；Ｓ３）。さらに、この領域（Ａｒ）内においてユーザが１乃至複数点（ｐｃ，ｐｄ，…）を移動させる操作（Ａｃ２〜Ａｃ５）を行うと、この移動操作（Ａｃ２〜Ａｃ５）が検出され、これに応じて信号処理の特性（例えば、レゾナンスの大きさ）が制御される（Ｇａ，ＣＬ，ＣＲ；Ｓ６＝ＹＥＳ→Ｓ７）。
【００１３】
この発明では、このように、オーディオ信号（ｓＬ，ｓＲ）を分析して少なくとも２つのパラメータを求め（ＢＬ，ＢＲ；Ｆａ）、求めたパラメータを２次元平面〔Ｐｎ（図３）〕に展開してタッチパネル（１２）に表示し、ユーザ操作点（ｐａ，ｐｂ）に対応して２次元平面上（Ｐｎ）に所定形状のパラメータ領域（Ａｒ）を設定・表示し（Ｇａ；Ｓ２＝ＹＥＳ→Ｓ３）、設定した領域（Ａｒ）に該当するパラメータ範囲に対して所定の信号処理を施し（Ｇａ，ＣＬ，ＣＲ；Ｓ３）、更に設定領域（Ａｒ）内においてユーザにより１乃至複数点（ｐｃ，ｐｄ，…）が移動されると（Ａｃ２〜Ａｃ５）、信号処理の特性を変更する（Ｇａ，ＣＬ，ＣＲ；Ｓ６＝ＹＥＳ→Ｓ７）ように構成される。従って、この発明によれば、最初のユーザ操作でパラメータ領域を設定し、設定したパラメータ領域内において更に１乃至複数点を移動するという簡単かつ直感的なユーザ操作によって、２次元平面にパラメータが展開されたオーディオ信号に対し、所定の信号処理特性を設定すると共に、設定した信号処理特性を変更することができる。
【図面の簡単な説明】
【００１４】
【図１】この発明の一実施例による電子音楽装置のハードウエア構成図である。
【図２】この発明の一実施例によるＬＲチャンネルタッチ制御（ＬＲチャンネル信号処理特性制御）の機能ブロック図である。
【図３】この発明の一実施例におけるタッチパネルへのパラメータ２次元表示例及び操作例を示す。
【図４】この発明の一実施例による複数チャンネルタッチ制御（ＬＲチャンネル信号処理特性制御）の機能ブロック図である。
【図５】この発明の一実施例における複数チャンネルのパラメータ表示例及び操作例を示す。
【図６】この発明の一実施例によるタッチパネル処理を示すフローチャートである。
【発明を実施するための形態】
【００１５】
〔システム構成の概要〕
図１は、この発明の一実施例による信号処理特性制御システムを構成する電子音楽装置のハードウエア構成例を示すブロック図である。この発明の一実施例による電子音楽装置は、電子的な音楽情報処理機能を有する一種のコンピュータであり、典型的にはミュージックシンセサイザや電子楽器のような音楽専用機器が用いられる。この電子音楽装置は、図１に示すように、中央処理装置（ＣＰＵ）１、ランダムアクセスメモリ（ＲＡＭ）２、読出専用メモリ（ＲＯＭ）３、記憶装置４、演奏及び設定操作検出回路５、タッチパネル検出回路６、表示回路７、音源・効果回路８、通信インターフェース（Ｉ／Ｆ）９などを備え、これらの要素１〜９はバス１０を介して互いに接続される。
【００１６】
ＣＰＵ１は、ＲＡＭ２及びＲＯＭ３と共にデータ処理部を構成し、信号処理特性制御処理プログラムを含む所定の制御プログラムに従い、信号処理特性制御処理を含む種々の情報処理を実行する。ＲＡＭ２は、これらの処理に際して必要な各種データを一時記憶するためのワーク領域として用いられ、また、ＲＯＭ３には、これらの処理を実行するために、信号処理特性制御処理プログラムを含む各種制御プログラムや各種制御データなどが予め記憶される。
【００１７】
記憶装置４は、ＨＤ（ハードディスク）、ＦＤ（フレキシブルディスク）、ＣＤ（コンパクトディスク）、ＤＶＤ（デジタル多目的ディスク）、フラッシュメモリ等の半導体メモリなどの記憶媒体と、その駆動装置を含む。任意の制御プログラムや自動演奏データ（ＭＩＤＩ）、オーディオデータ等の各種音楽データを任意の記憶媒体に記憶することができる。また、記憶媒体は、着脱可能であってもよいし、この電子音楽装置に内蔵されていてもよい。なお、着脱可能な記録媒体にはＵＳＢメモリが含まれるものとする。
【００１８】
演奏及び設定操作検出回路５は、鍵盤などの演奏操作子及びスイッチ等の設定操作子（パネル操作子）を含む操作子部１１と共に操作入力部を構成し、演奏操作子或いは設定操作子の操作を検出し、検出内容に対応する演奏操作情報或いは設定操作情報をデータ処理部（１〜３）に導入する。なお、設定操作子には、信号処理特性制御の際に「ＬＲチャンネルタッチ制御モード」或いは「複数チャンネルタッチ制御モード」を選択するためのモード選択スイッチが設けられる。データ処理部は、演奏操作情報に基づき実演奏情報を生成して音源・効果回路８に送り、或いは、設定操作情報に基づき種々の設定を行う。
【００１９】
タッチパネル検出回路６及びタッチパネル表示回路７に接続されるタッチパネルディスプレイ１２は、液晶（ＬＣ）、有機ＥＬ、電子ペーパーなどの表示素子と、静電容量方式、抵抗膜方式などのタッチセンサを備える。これらの表示素子やタッチセンサの方式はこれらに限らない。また、２点以上の多点を同時に検出することができるものが好ましい。そして、タッチパネル表示回路７は、ディスプレイ１２の表示内容をＣＰＵ１からの指令に従って制御し、タッチパネル検出回路６は、タッチセンサの出力信号を判別することにより、タッチパネルディスプレイ１２の画面に対するタッチ操作を検出し、検出内容に対応するタッチ操作情報をデータ処理部に導入する。
【００２０】
例えば、信号処理特性制御処理の際には、音源・効果回路８で信号処理されるオーディオ楽音信号の分析で求めたパラメータを表示回路７を介してディスプレイ１２の画面に２次元的に表示したり、多チャンネルにわたって表示することができ、パラメータ表示された画面に対するタッチ操作に基づく信号処理特性の変更指示情報を検出回路６からデータ処理部に送り、音源・効果回路８における信号処理特性の変更を指示することができる。また、演奏や信号処理などの楽音生成に必要な種々の条件を設定するための各種設定画面をディスプレイ１２に表示し各種設定に関する表示援助を行うことができる。
【００２１】
音源・効果回路８は、音源部、オーディオ入力部及び効果回路部から成り、音源部は、演奏操作情報に基づく実演奏情報や記憶装置４或いは通信Ｉ／Ｆ９からの自動演奏データに基づくオーディオ楽音信号を生成して効果回路部に供給し、オーディオ入力部は、記憶装置４或いは通信Ｉ／Ｆ９などの外部ディジタルオーディオ信号源から入力されるオーディオデータに基づくオーディオ楽音信号を効果回路部に供給する。効果回路部は、ＤＳＰを有し、音源部或いはオーディオ入力部から供給されるオーディオ楽音信号について所定のディジタル信号処理を行い、所定の効果を付与したオーディオ楽音信号をサウンドシステム１３に出力する。サウンドシステム１３は、Ｄ／Ａ変換部やアンプ、スピーカ等を備え、音源・効果回路８から出力されるオーディオ楽音信号に基づく楽音を発生する。
【００２２】
通信Ｉ／Ｆ９は、ＭＩＤＩ等の音楽専用有線Ｉ／Ｆ、ＵＳＢやＩＥＥＥ１３９４等の汎用近距離有線Ｉ／Ｆ、Ｅｔｈｅｒｎｅｔ（登録商標）等の汎用ネットワークＩ／Ｆ、無線ＬａｎやＢｌｕｅｔｏｏｔｈ（登録商標）等の汎用近距離無線Ｉ／Ｆなどの１又は複数を含み、他の音楽機器との間でＭＩＤＩ演奏データやオーディオデータ等の音楽データを授受したり、サーバコンピュータ等の外部機器から制御プログラムや音楽データを受信し、必要なデータを記憶装置４に保存することができる。なお、汎用近距離有線Ｉ／Ｆに含まれるＵＳＢＩ／Ｆを通じて外部ＵＳＢ機器と種々の情報授受を行うことができ、ＵＳＢＩ／Ｆの接続スロットにはＵＳＢメモリの装着（接続）が可能であるが、ＵＳＢメモリについては、着脱可能な記憶媒体として扱い、記憶装置４に含まれるものとする。
【００２３】
〔ＬＲチャンネルタッチ制御（ＬＲチャンネルの信号処理特性制御）〕
この発明の一実施例による電子音楽装置は、信号処理特性制御処理プログラムに従って信号処理特性制御処理を実行することにより信号処理特性制御システムとして動作し、その際には、モード選択スイッチにより、ＬＲチャンネルタッチ制御モード或いは複数チャンネルタッチ制御モードで動作する。ＬＲチャンネルタッチ制御モードでは、音源・効果回路８で信号処理されるＬＲチャンネルのオーディオ信号を分析して少なくとも２つのパラメータを求め、求めたパラメータをタッチパネルの２次元平面上に展開して表示し、ユーザによる所定のタッチ操作に従って、２次元平面上で所定形状の領域を設定し、該領域に該当するパラメータ範囲に対して所定の信号処理を施すＬＲチャンネル信号処理特性制御を行うことができ、この制御は「ＬＲチャンネルタッチ制御」と呼ばれる。図２は、この発明の一実施例によるＬＲチャンネルタッチ制御の機能ブロック図である。
【００２４】
図２において、音源・効果回路８の音源部或いはオーディオ入力部から供給されるステレオのディジタルオーディオ楽音信号即ちＬ（左）及びＲ（右）チャンネル信号ｓＬ，ｓＲは、それぞれ、Ｌ及びＲチャンネル入力部ＡＬ，ＡＲを介してＦＦＴ（fast Fourier transform：高速フーリエ変換）部ＢＬ，ＢＲに供給され、ＦＦＴ部ＢＬ，ＢＲで高速フーリエ変換（ＦＦＴ）されたＬ及びＲチャンネル信号は、信号処理特性制御部ＣＬ，ＣＲで、フィルタ処理、エフェクト処理などのディジタル信号処理が、予め設定された条件に従って施される。信号処理が施されたＬ及びＲチャンネル信号は、それぞれ、ｉＦＦＴ（inverse fast Fourier transform：逆高速フーリエ変換又は高速フーリエ逆変換）部ＤＬ，ＤＲで逆高速フーリエ変換（高速フーリエ逆変換。逆ＦＦＴともいう。）された後、Ｌ及びＲチャンネル出力部ＥＬ，ＥＲを介してサウンドシステム１３に出力される。（なお、単一の参照記号「ｓ」、「Ａ」、「Ｂ」、「Ｃ」、「Ｄ」、「Ｅ」は、それぞれ、入力オーディオ信号、チャンネル入力部、ＦＦＴ部、信号処理特性制御部、ｉＦＦＴ部、チャンネル出力部を代表的に示すのに用いられる。）
【００２５】
ＬＲチャンネルタッチ制御では、ＬＲの各チャンネル出力部ＡＬ，ＡＲから入力されたオーディオ信号ｓＬ，ｓＲをそれぞれＦＦＴ部ＢＬ，ＢＲでＦＦＴし、周波数ごとの成分を得ると、これらの成分を周波数−パンポット分析部Ｆａに供給する。周波数−パンポット分析部Ｆａは、各周波数成分のＬ（左）・Ｒ（右）の音量や位相を分析して周波数とパンポット（定位位置の意味。ステレオパンニングともいう。）との関係を求め、求めた周波数・パンポット関係を表わす周波数−パンポット情報を２次元表示及び特性指定部Ｇａに供給する。２次元表示及び特性指定部Ｇａは、周波数−パンポット情報が示す周波数−パンポット特性をタッチパネル１２の画面上に２次元表示し、この画面に対するユーザ操作に応じて、信号処理特性制御部ＣＬ，ＣＲにおける信号処理の特性を指定する。そして、信号処理特性制御部ＣＬ，ＣＲは、指定された特性に合うように、各チャンネルの周波数成分の特性を制御し、信号処理特性が制御された周波数成分はｉＦＦＴ部ＤＬ，ＤＲで逆ＦＦＴされてオーディオ信号に戻され、ＬＲの各チャンネル出力部ＥＬ，ＥＲから出力される。（なお、単一の参照記号「Ｆ」、「Ｇ」は、それぞれ、周波数−パンポット分析部、２次元表示及び特性指定部を代表的に示すのに用いられる。）
【００２６】
図３は、この発明の一実施例におけるタッチパネルへのパラメータ２次元表示例及び操作例を示す。上述のように、ＦＦＴ部ＢＬ，ＢＲ及び周波数−パンポット分析部Ｆａは、供給されたオーディオ信号ｓＬ，ｓＲを、周波数とパンポットという２つのパラメータに関して分析し、２次元表示及び特性指定部Ｇａは、図３（Ａ）に示されるパラメータの２次元表示例のように、分析結果をタッチパネルディスプレイ１２の画面Ｐｎに２次元表示する。つまり、供給されたステレオオーディオ信号に関し、第１パラメータとしてパンポット、第２パラメータとして周波数を分析し、２次元表示面Ｐｎにおいて、分析したパンポットを左右方向の第１軸（横軸）に、周波数を上下方向の第２軸（縦軸）に表示する。
【００２７】
２つのパラメータが２次元表示されたタッチパネルの表示画面Ｐｎ上には、この画面Ｐｎにユーザの指が最初にタッチする操作（タッチオン操作）によって、所定形状の指定パラメータ領域（「パラメータ領域」、或いは、単に「領域」ともいう。）Ａｒが設定され、設定された領域Ａｒ内のパラメータ値に対応する信号処理の特性を指定することができる。また、設定された指定パラメータ領域Ａｒは、図示のように外縁（単に「縁」ともいう。）Ｅｄを表示したり、領域Ａｒ内の色彩、濃度を変更する等により、ユーザが視認することができるように表示される。この例では、タッチパネル上でユーザのタッチオン操作により指定された２点ｐａ，ｐｂ（小さい円はタッチオンされた位置を示す。）を直径とする円の内部を領域Ａｒとしている。ここで、指定パラメータ領域Ａｒの形状は、図示のような円形に限らず、４角形（矩形、平行四辺形、台形など。例えば、対向する２頂点を指定する。）、楕円形、星型など、任意の形状としてよいし、タッチパネル上でタッチする操作点も２点に限らず、３点以上でもよい。例えば、タッチされた３点以上を頂点とする多角形を指定パラメータ領域Ａｒとしてよい。そして、信号処理特性制御部ＣＬ，ＣＲは、設定された指定パラメータ領域Ａｒに存在する第１パラメータ（例えば、パンポット）及び第２パラメータ（例えば、周波数）を有する楽音要素についてフィルタやエフェクタなど所定の信号処理を施すことで、特殊な楽音効果を付与する。
【００２８】
さらに、タッチパネル上でのユーザ操作として、
（１）領域Ａｒを指定した複数の操作点ｐａ，ｐｂ（外縁Ｅｄ上の任意の点でもよい。）を所定方向に回動させる回動操作（外縁Ｅｄに沿って移動したり、領域Ａｒの中心に対して回すような操作）を行う、
（２）領域Ａｒ内で更に１乃至複数点をタッチし、タッチした点を上下動、左右動或いは回動したり、タッチした２点の間隔を変更（伸縮）するなどの移動操作を行う
ことにより、フィルタやエフェクタなどの特性を制御する。
【００２９】
図３（Ｂ）はタッチパネルに対する操作例を示し、図３（Ｂ）（１）は、パラメータ領域Ａｒを指定するのにタッチされた複数のユーザ操作点、例えば、２点ｐａ，ｐｂが、指で押さえられ、更に領域Ａｒの外周に沿うように所定方向に回動されるというような回動操作Ａｃ１がなされた場合を示している。この場合、例えば、時計回りに操作されると、所定の信号処理特性の値を大きくし、反時計回りに操作されると、この値を小さくするように制御する（これとは逆の関係でもよい）。ここで、制御対象となる所定の信号処理特性については、信号処理がバンドパスフィルタ（ＢＰＦ）、バンドエリミネートフィルタ（ＢＥＦ）等のフィルタ処理が指定されていれば、第１信号処理特性として急峻さを制御し、第２信号処理特性としてレゾナンスを制御する等が該当し、信号処理がエフェクタ処理であれば、エフェクタの種類によって制御対象は異なるが、例えば、リバーブであれば、リバーブタイム（残響時間）等を制御する。
【００３０】
図３（Ｂ）（２）は、指定パラメータ領域Ａｒ内で更にタッチした１乃至複数点ｐｃ，ｐｄ，…を移動するように操作された場合を示しており、このような移動操作には、上下動、左右動、回動、間隔変更などがある。例えば、（２ａ）のように、パラメータ領域Ａｒを指定した操作点ｐａ，ｐｂを指で押さえ、さらに、この領域Ａｒ内で１点ｐｃにタッチしてこの点ｐｃを上下に移動する上下動操作Ａｃ２により、第１信号処理特性を大きくしたり小さくしたりする。また、この操作点ｐｃを左右に移動する左右動操作Ａｃ３により、第２信号処理特性を大きくしたり小さくしたりする。つまり、指定パラメータ領域Ａｒ内の更なる１操作点ｐｃについて異なる種類の移動操作Ａｃ２，Ａｃ３を行うことによって、複数の信号処理特性を制御することができる。
【００３１】
また、（２ｂ）のように、指定パラメータ領域Ａｒ内で更にタッチした２点ｐｄ，ｐｅの回動操作（２点ｐｄ，ｐｅの中点を中心に回すような操作）Ａｃ４により，第１信号処理特性）を大きくしたり小さくしたりし、２点ｐｄ，ｐｆの間隔変更（拡縮）操作Ａｃ５で第２信号処理特性を大きくしたり小さくしたりする。つまり、指定パラメータ領域Ａｒ内の更なる複数操作点についてそれぞれ移動操作を行うことによって、複数の信号処理特性を制御することができる。
【００３２】
なお、ＬＲチャンネルタッチ制御モードでは、既に設定された指定パラメータ領域Ａｒについて、後述する複数チャンネルタッチ制御モードで説明する領域の移動操作乃至タッチ＆ペースト操作（図５参照）を行い、これにより、パラメータ領域Ａｒを２次元平面Ｐｎ内の任意の箇所に移動乃至コピー（複写）し、移動後乃至コピー（複写）後のパラメータ領域に対応した信号処理特性の制御を行うことができる。
【００３３】
以上説明したように、この発明の一実施例による信号処理特性制御システムのＬＲチャンネルタッチ制御モードでは、オーディオ信号ｓＬ，ｓＲを分析して少なくとも２つのパラメータを求め（ＢＬ、ＢＲ；Ｆ）、求めたパラメータを２次元平面（画面）Ｐｎ上に展開してタッチパネル１２に表示する（Ｇａ）。ここで、２次元平面Ｐｎ上の点ｐａ，ｐｂを指定するタッチ操作がなされると、操作点ｐａ，ｐｂに対応して平面Ｐｎ上に所定形状の指定パラメータ領域Ａｒを設定し、設定した領域Ａｒに該当するパラメータ範囲（例えば、フィルタ範囲）に対して所定の信号処理（例えば、フィルタ処理）を施す（Ｇａ→ＣＬ，ＣＲ）。次いで、指定パラメータ領域Ａｒの外縁Ｅｄが回動されると（Ａｃ１）、この回動操作Ａｃ１に応じて、所定の信号処理特性（例えば、レゾナンスの大きさ）を変更制御する（Ｇａ→ＣＬ，ＣＲ）。また、指定パラメータ領域Ａｒ内においてユーザにより１乃至複数の操作点ｐｃ，ｐｄ，…が移動されると（Ａｃ２〜Ａｃ５）、この移動操作Ａｃ２〜Ａｃ５に応じて、所定の信号処理特性（例えば、レゾナンスの大きさ）を変更制御する（Ｇａ→ＣＬ，ＣＲ）。
【００３４】
〔複数チャンネルタッチ制御（複数チャンネルの信号処理特性制御）〕
この発明の一実施例による電子音楽装置は、前述したように、信号処理特性制御システムとして動作し、その際、モード選択スイッチの操作により複数チャンネルタッチ制御モードで動作することができる。複数チャンネルタッチ制御モードでは、楽音的に独立した複数チャンネル〔ＬＲ（ステレオ）チャンネルは１チャンネルとする。〕のオーディオ信号について音源・効果回路で信号処理を行う際に、各チャンネルのオーディオ信号を分析してパラメータを求め、求めたパラメータをタッチパネルの画面上に展開して表示し、ユーザによる所定のタッチ操作に従って、任意の複数チャンネルに所定の信号処理を施す複数チャンネル信号処理特性制御を行うことができ、この制御は「複数チャンネルタッチ制御」と呼ばれる。図４は、この発明の一実施例による複数チャンネルタッチ制御の機能ブロック図である。
【００３５】
図４において、音源・効果回路８の音源部或いはオーディオ入力部から供給される複数チャンネル即ち第１〜第４チャンネルｃｈ１〜ｃｈ４のディジタルオーディオ楽音信号ｓ１；ｓ２；ｓ３Ｌ，ｓ３Ｒ；ｓ４Ｌ，ｓ４Ｒは、それぞれ、チャンネル入力部Ａ１；Ａ２；Ａ３Ｌ，Ａ３Ｒ；Ａ４Ｌ，Ａ４Ｒを介してＦＦＴ部Ｂ１；Ｂ２；Ｂ３Ｌ，Ｂ３Ｒ；Ｂ４Ｌ，Ｂ４Ｒに供給されＦＦＴされた後、信号処理特性制御部Ｃ１；Ｃ２；Ｃ３Ｌ，Ｃ３Ｒ；Ｃ４Ｌ，Ｃ４Ｒで、フィルタ処理、エフェクト処理などのディジタル信号処理が、予め設定された条件に従って施される。信号処理が施されたＬ及びＲチャンネル信号は、それぞれ、ｉＦＦＴ部Ｄ１；Ｄ２；Ｄ３Ｌ，Ｄ３Ｒ；Ｄ４Ｌ，Ｄ４Ｒで逆ＦＦＴされた後、第１〜第４チャンネル出力部Ｅ１；Ｅ２；Ｅ３Ｌ，Ｅ３Ｒ；Ｅ４Ｌ，Ｅ４Ｒを介してサウンドシステム１３に出力される。（なお、参照記号「ｃｈ」は、チャンネルを代表的に示すのに用いられる。）
【００３６】
図示のチャンネル構成例では、第１及び第２チャンネルｃｈ１；ｃｈ２については、モノラルのオーディオ信号ｓ１；ｓ２が入力されており、それぞれ、ＦＦＴ部Ｂ１；Ｂ２でＦＦＴされて周波数ごとの成分を示す周波数情報が得られ、得られた周波数情報はオーディオ信号ｓ１；ｓ２の分析結果として２次元表示及び特性指定部Ｇｂに供給される。これに対し、第３及び第４チャンネルｃｈ３；ｃｈ４については、ＬＲステレオのオーディオ信号ｓ３Ｌ，ｓ３Ｒ；ｓ４Ｌ，ｓ４Ｒが入力されており、それぞれ、ＦＦＴ部Ｂ３Ｌ，Ｂ３Ｒ；Ｂ４Ｌ，Ｂ４ＲでＦＦＴされ、ＦＦＴで得られた周波数成分情報は更に周波数−パンポット分析部Ｆ３；Ｆ４に供給される。そして、周波数−パンポット分析部Ｆ３；Ｆ４において、各周波数成分のＬＲの音量や位相が分析されて周波数とパンポットとの関係が求められ、求められた周波数−パンポットの関係を表わす周波数−パンポット情報が、オーディオ信号ｓ３Ｌ，ｓ３Ｒ；ｓ４Ｌ，ｓ４Ｒの分析結果として２次元表示及び特性指定部Ｇｂに供給される。
【００３７】
２次元表示及び特性指定部Ｇｂは、第１及び第２チャンネルｃｈ１；ｃｈ２については、ＦＦＴ部Ｂ１；Ｂ２からの周波数情報が示す周波数特性をオブジェクトとしてタッチパネル１２の画面上に１次元的に表示し、第３及び第４チャンネルｃｈ３；ｃｈ４については、周波数−パンポット分析部Ｆ３；Ｆ４からの周波数−パンポット情報が示す周波数特性、パンポット特性或いは周波数−パンポット特性をオブジェクトとしてこの画面上に１次元的或いは２次元的に表示する。さらに、タッチパネル１２の画面に対するタッチオン操作に応じて指定パラメータ領域（Ａｒ）を設定することにより、制御対象となるチャンネルｃｈを選択すると共にそのパラメータ範囲を指定し、当該チャンネルｃｈの信号処理特性制御部Ｃで行われる信号処理の特性を指定する。そして、信号処理特性制御部Ｃは、指定した特性に合うように、選択したチャンネルｃｈの周波数成分の特性を制御し、信号処理特性が制御された周波数成分は、当該チャンネルｃｈのｉＦＦＴ部Ｄで逆ＦＦＴされてオーディオ信号に戻され、各チャンネル出力部Ｅから出力される。
【００３８】
図５は、この発明の一実施例におけるタッチパネルへのパラメータ表示例及び操作例を示す。複数チャンネルタッチ制御では、２次元表示及び特性指定部Ｇｂにより、複数のオーディオチャンネル（例えば、ｃｈ１〜ｃｈ４）に関する表示オブジェクトが１つの２次元平面Ｐｎ内に配置され、その際、或るチャンネル（例えば、ｃｈ４）は、２つのパラメータを２次元に表現したオブジェクト、他のチャンネル（例えば、ｃｈ１〜ｃｈ３）は、２つの内の何れか１つのパラメータを１次元に表現したオブジェクトとされる。
【００３９】
図５のパラメータ表示例では、４つのチャンネルの内、第４チャンネルｃｈ４のみが２次元オブジェクトとされ、残りのチャンネルｃｈ１〜ｃｈ３が１次元オブジェクトとされる。ただし、第１及び第２チャンネルｃｈ１，ｃｈ２と第３チャンネルｃｈ３とは、異なるパラメータ（第１及び第２チャンネルｃｈ１，ｃｈ２は周波数、第３チャンネルｃｈ３はパンポット）を１次元に表現したオブジェクトである。ここで、第１及び第２チャンネルｃｈ１，ｃｈ２に関しては周波数の分析乃至特性制御のみが行われ、第３チャンネルｃｈ３に関しては、周波数とパンポットの分析（Ｆ３）が行われるが、特性制御はパンポット方向のみ（即ち、周波数軸は全域にわたって同じ特性制御）が行われる。
【００４０】
複数チャンネルタッチ制御では、このような複数チャンネルｃｈ１〜ｃｈ４に対する信号処理特性の制御を行うために、２次元平面Ｐｎ内に、ＬＲチャンネルタッチ制御で説明した領域指定操作と同様のタッチオン操作により、１乃至複数の所定形状の指定パラメータ領域Ａｒを設定することができる。
【００４１】
ここで、複数チャンネルタッチ制御の特徴として、１つのパラメータ領域Ａｒを複数チャンネルのオブジェクトにまたがって設定可能である。図示の例では、第１及び第２チャンネルｃｈ１，ｃｈ２にまたがって指定パラメータ領域Ａｒが設定され、指定パラメータ領域Ａｒは、その外縁Ｅｄを２次元平面Ｐｎに表示することによって、ユーザにより視認することができる。
【００４２】
また、複数チャンネルタッチ制御の他の特徴として、或るチャンネルのオブジェクト上で設定したパラメータ領域Ａｒを、他のチャンネルのオブジェクトの上に移動させたり（Ａｒ→Ａｒ’）、コピー＆ペーストすることで（Ａｒ→Ａｒ”）、或るチャンネルで設定したフィルタやエフェクトの特性を簡単に他のチャンネルにも反映させることができる。
【００４３】
例えば、領域の移動については、図示のように、既に第１及び第２チャンネルｃｈ１，ｃｈ２のオブジェクト上にまたがって設定していたパラメータ領域Ａｒは、ユーザが、外縁Ｅｄにタッチし、タッチした点をタッチ状態を維持しつつ移動する領域移動操作Ａｃ６を行うことによって、他のチャンネルｃｈ２，ｃｈ４のオブジェクトの上に移動させることができる。この場合、元のパラメータ領域Ａｒは消滅し、新たに、第２及び第４チャンネルｃｈ２，ｃｈ４にまたがるパラメータ領域Ａｒ’が設定される。
【００４４】
一方、領域のコピー＆ペーストについては、例えば、画面Ｐｎの端部にコピー（複写）を指示するためのメニュー表示域を設けておき、パラメータ領域Ａｒの外縁Ｅｄにユーザの一方の手の指をタッチした状態で他方の手の指でメニュー表示域にタッチしてコピー（複写）を指示し、その後、タッチしている外縁Ｅｄ上の点を所望位置に移動してタッチオフするというように、パラメータ領域Ａｒのコピー＆ペースト操作〔単に「コピー（複写）操作」ともいう。〕Ａｃ７を行うことにより、他のチャンネルｃｈ３，ｃｈ４のオブジェクトの上にコピー（複写）することができる。この場合、既に設定したパラメータ領域Ａｒに加えて、さらに、第３及び第４チャンネルｃｈ３，ｃｈ４上にも、新たなパラメータ領域Ａｒ”が設定される。
【００４５】
また、複数チャンネルタッチ制御モードでは、パラメータ領域Ａｒ，Ａｒ’，Ａｒ”について、ＬＲチャンネルタッチ制御モードで説明した領域内におけるタッチ点の移動操作〔図３（Ｂ）〕を行い、これにより、各領域Ａｒ，Ａｒ’，Ａｒ”に対応する信号処理の特性を変更制御することができる。
【００４６】
以上説明したように、この発明の一実施例による信号処理特性制御システムの複数チャンネルタッチ制御モードでは、複数チャンネルｃｈ１〜ｃｈ４のオーディオ信号ｓ１；ｓ２；ｓ３Ｌ，ｓ３Ｒ；ｓ４Ｌ，ｓ４Ｒを分析して少なくとも１つ以上のパラメータを求め（Ｂ１；Ｂ２；Ｂ３Ｌ，Ｂ３Ｒ，Ｆ３；Ｂ４Ｌ，Ｂ４Ｒ，Ｆ４）、求めた各チャンネルｃｈ１〜ｃｈ４のパラメータを２次元平面（画面）Ｐｎ上に展開してタッチパネル１２に表示し（Ｇｂ）、２次元平面Ｐｎにタッチオン操作がなされると、タッチオン操作点に対応して平面Ｐｎ上に所定形状の指定パラメータ領域Ａｒを設定し、設定した領域Ａｒに該当するチャンネルｃｈのパラメータ範囲に対して所定の信号処理を施し当該チャンネルの信号処理特性を制御する（Ｇｂ→Ｃ）。この場合、指定パラメータ領域Ａｒは、複数チャンネル（例えば、ｃｈ１，ｃｈ２）にまたがって設定することができる。また、指定パラメータ領域Ａｒに対する領域移動操作Ａｃ６或いはコピー（複写）操作Ａｃ７を検出したことに応じて、指定パラメータ領域Ａｒを、或るチャンネル（例えば、ｃｈ１，ｃｈ２）のパラメータ表示域から他のチャンネル（例えば、ｃｈ２，ｃｈ４、或いは、ｃｈ３，ｃｈ４）のパラメータ表示域へと、移動し或いはコピー（複写）することができ、移動した場合は、移動元の指定パラメータ領域Ａｒに替えて移動先の指定パラメータ領域Ａｒ’を設定し直し、或いは、コピーした場合には、コピー元の指定パラメータ領域Ａｒに加えてコピー先の指定パラメータ領域Ａｒ”を追加的に設定する。
【００４７】
〔処理フロー例〕
図６は、この発明の一実施例による電子音楽装置の信号処理特性制御処理で実行されるタッチパネル処理の例を表わすフローチャートである。このタッチパネル処理は、ＬＲチャンネルタッチ制御モード或いは複数チャンネルタッチ制御モードにおいて、タッチパネルディスプレイ１２の画面に、ＬＲチャンネルの２つのパラメータが２次元表示されているとき〔図３（Ａ）参照〕、或いは、複数チャンネルのパラメータが表示されているときに（図５参照）、所定時間ごと、例えば、１μｓｅｃ毎のタイマ割込みで、タッチパネル１２をチェックすることによって、スタートする。
【００４８】
図６において、タッチパネル処理がスタートすると、ＣＰＵ１は、ステップＰ１で、タッチパネル１２の画面Ｐｎに対するタッチオン、タッチオフ、移動などのユーザの操作指によるタッチ操作を検出し、次のステップＳ２では、画面Ｐｎ上の複数点へのタッチオン操作により、新たなパラメータ領域Ａｒを設定したか否かを判定し、指定パラメータ領域Ａｒを設定したときは（Ｓ２＝ＹＥＳ）、ステップＳ３に進む。ステップＳ３では、タッチパネル１２の画面Ｐｎ上に所定形状の指定パラメータ領域Ａｒを表示し〔複数チャンネルタッチ制御モード：図３（Ａ）、ＬＲチャンネルタッチ制御モード：図５〕、領域Ａｒに該当するパラメータ範囲に対応するよう、信号処理特性制御部Ｃにおけるフィルタ処理／エフェクタ処理などの信号処理のパラメータを設定し、信号処理の特性をデフォルト値に設定する。
【００４９】
ステップＳ２でタッチオン操作による指定パラメータ領域Ａｒの設定はないと判定したとき（Ｓ２＝ＮＯ）、或いは、ステップＳ３の処理の後は、ステップＳ４に進んで、領域Ａｒの縁Ｅｄを、ユーザの操作指がタッチした状態で、縁Ｅｄに沿って回動させる「回動」操作Ａｃ１がなされたか否かを判定し、このような操作がなされたときは（Ｓ４＝ＹＥＳ）、ステップＳ５に進む。ステップＳ５では、回動方向に応じて信号処理特性の値を増大或いは減少するように変更する〔図３（Ｂ）（１）参照〕。
【００５０】
ステップＳ４で指定パラメータ領域外縁Ｅｄの回動操作はなされないと判定したとき（Ｓ４＝ＮＯ）、或いは、ステップＳ５の処理の後は、ステップＳ６に進み、指定パラメータ領域Ａｒの内側において、単一の操作点を上下或いは左右に移動させる「上下左右動」操作Ａｃ２，Ａｃ３、或いは、複数の操作点を回動するか又は複数の操作点の間隔を変更する「複数点の回動、間隔変更」操作Ａｃ４，Ａｃ５がなされたか否かを判定し、このような操作Ａｃ２〜Ａｃ６がなされたときは（Ｓ６＝ＹＥＳ）、ステップＳ７に進む。ステップＳ７では、上下左右動の方向、複数点の回動方向或いは間隔に応じて、信号処理特性の値を増大或いは減少するように変更する〔図３（Ｂ）（２）参照〕。
【００５１】
ステップＳ６で、上下左右動、複数点の回動、間隔変更操作はなされていないと判定したとき（Ｓ６＝ＮＯ）、或いは、ステップＳ７の処理の後は、ステップＳ８に進み、指定パラメータ領域Ａｒの縁Ｅｄを、ユーザの操作指がタッチした状態で、画面Ｐｎ上の他の点に移動させる「領域移動」操作Ａｃ６がなされたか否かを判定し、このような領域移動操作Ａｃ６がなされたときは（Ｓ８＝ＹＥＳ）、ステップＳ９に進む。ステップＳ９では、領域外縁Ｅｄ上のタッチ点が他の点に一致するように領域Ａｒの表示箇所を移動させ（図５参照）、移動後の領域Ａｒ’に該当するパラメータ範囲に対応するよう、信号処理特性制御部Ｃにおけるフィルタ処理／エフェクタ処理などの信号処理のパラメータを設定し直し、信号処理の特性をデフォルト値に設定する。
【００５２】
ステップＳ８で指定パラメータ領域外縁Ｅｄを移動する領域移動操作はなされていないと判定したとき（Ｓ８＝ＮＯ）、或いは、ステップＳ９の処理の後は、ステップＳ１０に進み、タッチパネル画面Ｐｎ上でその他のタッチ操作がなされたか否かを判定し、その他のタッチ操作がなされたときは（Ｓ１０＝ＹＥＳ）、ステップＳ１１に進み、その他のタッチ操作に応じた処理を行う。
【００５３】
例えば、図５に示されるように、指定パラメータ領域Ａｒの縁Ｅｄを、ユーザの操作指がタッチした状態とし且つコピー（複写）を指示した上で、画面Ｐｎ上の他の点に移動させるコピー＆ペースト操作Ａｃ７がなされたときは、領域外縁Ｅｄ上のタッチ点が他の点に一致する箇所に領域Ａｒをコピー（複写）して、当該領域Ａｒと同じ大きさの新たな指定パラメータ領域Ａｒ”を設定し（図５参照）、新たに設定した領域Ａｒ”についても、これに該当するパラメータ範囲に対応するよう、信号処理特性制御部Ｃにおけるフィルタ処理／エフェクタ処理などの信号処理のパラメータを設定し、信号処理の特性をコピー元の領域Ａｒと同じ値に設定する（Ｓ１０＝ＹＥＳ→Ｓ１１）。
【００５４】
そして、ステップＳ１０でその他のタッチ操作はなされないと判定したとき（Ｓ１０＝ＮＯ）、或いは、ステップＳ１１のその他のタッチ操作に応じた処理の後は、今回のタッチパネル処理を終了し、次のタイマ割込みを待つ。
【００５５】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、電子音楽装置については、実施例では、電子楽器などの音楽専用機器が用いられているが、音楽情報処理機能を有するパーソナルコンピュータ（ＰＣ）や、スレート型ＰＣ、スマートフォンなどの汎用機器を用いてもよい。
【００５６】
また、実施例では、オーディオ信号を分析して求めるパラメータとして、周波数とパンポットの例を示したが、これに限らず、他のパラメータを分析して求めてもよいし、周波数とパンポットに加えて他のパラメータも求めてもよい。
【００５７】
実施例のように２つのパラメータのみを２次元平面Ｐｎに表示することに限らず、第３のパラメータを加えて表示してもよい。この場合、第３のパラメータを、第１軸及び第２軸に直行する第３軸に沿って俯瞰的に表示する３次元表示をしてもよいし、第３のパラメータを２次元平面Ｐｎ上に、何らかの形で、例えば、表示の色や濃淡で表現する等で、表示してもよい。
【００５８】
指定パラメータ領域（Ａｒ）の移動及びコピー（複写）については、実施例では、ＬＲチャンネルタッチ制御モード及び複数チャンネルタッチ制御モードの何れでも行うようにしているが、複数チャンネルタッチ制御モードのみで行うようにしてもよい。
【符号の説明】
【００５９】
ｓ：ｓＬ，ｓＲ；ｓ１；ｓ２；ｓ３Ｌ，ｓ３Ｒ；ｓ４Ｌ，ｓ４Ｒ  入力オーディオ信号、
Ａ：ＡＬ，ＡＲ；Ａ１；Ａ２；Ａ３Ｌ，Ａ３Ｒ；Ａ４Ｌ，Ａ４Ｒ  チャンネル入力部、
Ｂ：ＢＬ，ＢＲ；Ｂ１；Ｂ２；Ｂ３Ｌ，Ｂ３Ｒ；Ｂ４Ｌ，Ｂ４Ｒ  ＦＦＴ部、
Ｃ：ＣＬ，ＣＲ；Ｃ１；Ｃ２；Ｃ３Ｌ，Ｃ３Ｒ；Ｃ４Ｌ，Ｃ４Ｒ  信号処理特性制御部、
Ｄ：ＤＬ，ＤＲ；Ｄ１；Ｄ２；Ｄ３Ｌ，Ｄ３Ｒ；Ｄ４Ｌ，Ｄ４Ｒ  ｉＦＦＴ部、
Ｅ：ＥＬ，ＥＲ；Ｅ１；Ｅ２；Ｅ３Ｌ，Ｅ３Ｒ；Ｅ４Ｌ，Ｅ４Ｒ  チャンネル出力部、
Ｆ：Ｆａ；Ｆ３，Ｆ４  周波数−パンポット分析部、
Ｇ：Ｇａ；Ｇｂ  ２次元表示及び特性指定部、
Ｐｎ  ２次元平面（パラメータ表示画面）、
ｐａ，ｐｂ；ｐｃ；ｐｄ，ｐｅ  ユーザ操作点、
Ａｒ，Ａｒ’，Ａｒ”  外縁Ｅｄ，Ｅｄ’，Ｅｄ”が表示される指定パラメータ領域、
Ａｃ１〜Ａｃ７  各種ユーザ操作、
ｃｈ：ｃｈ１〜ｃｈ４  チャンネル或いはそのパラメータ表示域（表示オブジェクト）。
【図１】
0005821227.tif 000002
【図２】
0005821227.tif 000003
【図３】
0005821227.tif 000004
【図４】
0005821227.tif 000005
【図５】
0005821227.tif 000006
【図６】
0005821227.tif 000007